(57)【特許請求の範囲】
【請求項１】
通信端末に取り外し可能に装着されると共に加入者識別情報を有する加入者認証モジュールが、前記通信端末から取り外し可能な状態にあることを検出する検出部と、
前記検出部の検出信号に基づいて、前記加入者識別情報を読み出すためのパスワードを前記加入者認証モジュールに設定するパスワード設定部と、を有し、
前記検出部は、
前記通信端末に設けられた前記加入者認証モジュールの出し入れ口の少なくとも一部を開放可能に閉鎖するカバーと、
前記カバーが開放されたときに前記加入者認証モジュールが取り外し可能な状態にある旨の検出信号を発生するセンサと、を有することを特徴とする加入者認証モジュールの不正使用防止装置。
【請求項２】
前記パスワード設定部が前記加入者認証モジュールに前記パスワードを設定することにより、前記通信端末から取り外された前記加入者認証モジュールの不正使用を防止することを特徴とする請求項１に記載の加入者認証モジュールの不正使用防止装置。
【請求項３】
前記パスワードを記憶したパスワード記憶部をさらに有し、
前記パスワード設定部は、前記検出部の検出信号に基づいて、前記パスワード記憶部に記憶されている前記パスワードを前記加入者認証モジュールに設定することを特徴とする請求項１または２に記載の加入者認証モジュールの不正使用防止装置。
【請求項４】
前記検出部及び前記パスワード設定部を駆動するための電源部をさらに有することを特徴とする請求項１乃至３のいずれか一項に記載の加入者認証モジュールの不正使用防止装置。
【請求項５】
前記電源部は、前記通信端末の電源部とは独立して設けられていることを特徴とする請求項４に記載の加入者認証モジュールの不正使用防止装置。
【請求項６】
前記通信端末は、少なくとも記憶部と制御部とを有し、
前記通信端末の記憶部は、前記パスワード記憶部として機能し、
前記通信端末の制御部は、前記パスワード設定部として機能することを特徴とする請求項３乃至５のいずれか一項に記載の加入者認証モジュールの不正使用防止装置。
【請求項７】
通信端末に取り外し可能に装着されると共に加入者識別情報を有する加入者認証モジュールが、前記通信端末から取り外し可能な状態にあることを、検出部によって検出する工程と、
前記取り外し可能状態検出工程にて、前記検出部によって前記加入者認証モジュールが取り外し可能な状態にあると検出した場合に、前記加入者識別情報を読み出すためのパスワードを前記加入者認証モジュールに設定する工程と、を有し、
前記検出部は、
前記通信端末に設けられた前記加入者認証モジュールの出し入れ口の少なくとも一部を開放可能に閉鎖するカバーと、
前記カバーが開放されたときに前記加入者認証モジュールが取り外し可能な状態にある旨の検出信号を発生するセンサと、を有することを特徴とする加入者認証モジュールの不正使用防止方法。
【請求項８】
前記パスワードをメモリに予め記憶しておく工程と、
前記取り外し可能状態検出工程にて、前記検出部によって前記加入者認証モジュールが取り外し可能な状態にあると検出した場合に、前記パスワード記憶工程にてメモリに記憶されている前記パスワードを読み出す工程と、をさらに有し、
前記パスワード設定工程にて、前記パスワード読み出し工程にて読み出した前記パスワードを前記加入者認証モジュールに設定することを特徴とする請求項７に記載の加入者認証モジュールの不正使用防止方法。
【請求項９】
請求項１乃至６のいずれか一項に記載の不正使用防止装置を有することを特徴とする通信端末。
【発明の詳細な説明】
【技術分野】
【０００１】
本発明は、スマートフォン等の通信端末に用いられるＳＩＭカード等の加入者認証モジュールの不正使用を防止する加入者認証モジュールの不正使用防止装置に関する。
【背景技術】
【０００２】
スマートフォンや携帯電話機等の通信端末には、通常、ＳＩＭ（Subscriber Identity Module）カード、ＵＩＭ（User Identity Module）カード、ＵＳＩＭ（Universal Subscriber Identity Module）カード等の加入者認証モジュールが装着されている。
【０００３】
加入者認証モジュールは、一般に、情報記憶媒体を兼ねた小型の接触型ＩＣカードによって構成され、通信端末に取り外し可能に装着される。加入者認証モジュールには少なくとも、加入者識別符号（ＩＭＳＩ：International Mobile Subscriber Identity）と呼ばれるモジュール毎に固有の符号が、一般ユーザには書き換え不能な状態で記憶されている。
【０００４】
ユーザが通信端末を用いて通話やデータ通信等の通信を行うべくネットワークにアクセスする際、通信端末は、装着されている加入者認証モジュールから加入者識別符号を読み出し、通信サービスを提供するネットワーク事業者側の装置に対してネットワークを介して送信する。ネットワーク事業者側の装置は、受信した加入者識別符号と、予め記憶している電話番号を含む加入者契約情報とを照合し、加入者識別符号に一義的に対応した電話番号での通信を許可する仕組みとなっている。
【０００５】
ところで、ユーザは、加入者識別符号を書き換えることはできないが、加入者認証モジュールを通信端末から取り外すことは自由にできる。したがって、加入者認証モジュールを別の通信端末に差し替え、その通信端末を用いて通信を行うことが可能である。その反面、第三者が、他人の加入者認証モジュールを用いて不正な通信（なりすましの通信）を行うことも可能である。
【０００６】
上記のような第三者による加入者認証モジュールの不正使用の対策として、通信端末の多くは、加入者認証モジュールの記憶領域に、ＰＩＮ（Personal Identification Number）と呼ばれる、加入者認証モジュールに記憶された加入者識別符号等の情報の読み出しを許可するためのパスワード（以後、モジュールパスワードとも呼ぶ）を記憶させる機能を有し、通信開始前もしくは通信端末の電源オン時の都度、正しいモジュールパスワードを入力しない限りは、加入者識別符号の読み出しや送信ができない、即ち、通信ができないようになっている。
【０００７】
ところが、モジュールパスワードを設定した場合は設定していない場合に比べてネットワークアクセス操作が煩雑化するため、モジュールパスワードを設定せずに通信端末を使用するユーザが多いのが実情である。そのため、悪意を持った第三者が、紛失したり盗難に遭った通信端末からＰＩＮ設定がされていない加入者認証モジュールを取り出し、他の通信端末に装着してなりすましの通信を行う虞が依然としてある。
【０００８】
加入者認証モジュールの不正使用防止策に関する関連技術は、例えば、特許文献１〜５に開示されている。
【０００９】
特許文献１には、ＳＩＭカードが携帯電話機に装着されているか否かを検出し、脱着があった場合に警告をユーザに報知する携帯電話機が開示されている。
【００１０】
特許文献２には、所定の認証条件のときにＵＳＩＭカードを機械的にロックすることにより、携帯電話機が盗難された場合であってもＵＳＩＭカードが取り出されることを防止する携帯電話機が開示されている。
【００１１】
特許文献３には、加入者認証モジュールに関する技術ではないが、デバイスロック機能が有効とされた状態で電源がオンされた際に暗号化機能が有効とされることにより、録音されたデータが自動的に暗号化されて記録媒体に記録されるようにした音声記録再生装置が開示されている。
【００１２】
特許文献４には、携帯端末が電源オンされた時に、ＰＩＮコード設定が無効になっていた場合、携帯端末の製造番号と予め加入者認証モジュールに登録されている製造番号を比較し、一致しない場合、加入者識別符号の出力を停止することで不正使用を防止する加入者認証モジュールが開示されている。
【００１３】
特許文献５には、通信装置に装着したＵＳＩＭカードに当該通信装置に固有の装置固有情報を記憶しておき、ＵＳＩＭカードが取り外された後にいずれかの通信装置に新たに装着されたときに、ＵＳＩＭカードに記憶されている装置固有情報と、ＵＳＩＭカードが新たに装着された通信装置に記憶されている装置固有情報とを比較し、不一致であればＵＳＩＭカードの不正使用であると判断し、不正使用である旨を所定の連絡先に向けて報知するようにした通信システムが開示されている。
【先行技術文献】
【特許文献】
【００１４】
【特許文献１】特開２００１−２３８２６０号公報
【特許文献２】特開２００７−２５１２４４号公報
【特許文献３】特開２０１０−０２６７８５号公報
【特許文献４】特開２００７−３３６２１９号公報
【特許文献５】特開２０１０−０３４８６２号公報
【発明の概要】
【発明が解決しようとする課題】
【００１５】
上述したように、第三者による加入者認証モジュールの不正使用の対策としてのモジュールパスワードではあるが、加入者認証モジュールにモジュールパスワードを設定せずに通信端末を使用するユーザが多いのが実情である。
【００１６】
本発明の目的は、ユーザがモジュールパスワードを設定せずとも、第三者が他人の加入者認証モジュールを用いて不正ななりすましの通信を行うことを防止できる加入者認証モジュールの不正使用防止装置および加入者認証モジュールの不正使用防止方法を提供することである。
【課題を解決するための手段】
【００１７】
本発明の一態様に係る加入者認証モジュールの不正使用防止装置は、通信端末に取り外し可能に装着されると共に加入者識別情報を有する加入者認証モジュールが、前記通信端末から取り外し可能な状態にあることを検出する検出部と、前記検出部の検出信号に基づいて、前記加入者識別情報を読み出すためのパスワードを前記加入者認証モジュールに設定するパスワード設定部と、を有することを特徴とする。
【００１８】
また、本発明の他の態様に係る加入者認証モジュールの不正使用防止方法は、通信端末に取り外し可能に装着されると共に加入者識別情報を有する加入者認証モジュールが、前記通信端末から取り外し可能な状態にあることを検出する工程と、前記取り外し可能状態検出工程にて前記加入者認証モジュールが取り外し可能な状態にあると検出した場合に、前記加入者識別情報を読み出すためのパスワードを前記加入者認証モジュールに設定する工程と、を有することを特徴とする。
【００１９】
本発明のさらに他の態様に係る通信端末は、前記不正使用防止装置を有することを特徴とする。
【発明の効果】
【００２０】
本発明によれば、ユーザがモジュールパスワードを設定せずとも、第三者が他人の加入者認証モジュールを用いて不正ななりすましの通信を行うことを防止できる。
【図面の簡単な説明】
【００２１】
【図１】本発明に係る加入者認証モジュールの不正使用防止装置の実施形態１を示すブロック図である。
【図２】図１に示された加入者認証モジュールの不正使用防止装置の動作を説明するための図であり、（ａ）はカバーが閉じられた状態を示し、（ｂ）はカバーが開かれた状態を示す。
【図３】図１に示された加入者認証モジュールの不正使用防止装置の動作を説明するためのフロー図である。
【図４】本発明に係る加入者認証モジュールの不正使用防止装置の実施形態２を示すブロック図である。
【発明を実施するための形態】
【００２２】
［実施形態１］
図１を参照すると、本発明の実施形態１による加入者認証モジュールの不正使用防止装置１００は、スマートフォンである通信端末６００に適用される。そして、加入者識別符号（ＩＭＳＩ）を含む情報が記憶されたＳＩＭ（Subscriber Identity Module）である加入者認証モジュール２００が通信端末６００から取り外された後に、悪意を持った第三者によって別の通信端末に装着されて不正ななりすまし通信が実行されることを防止する。
【００２３】
通信端末６００は、記憶部６２０と、制御部６１０と、電源部６３０と、無線通信部６４０と、ユーザーインターフェース（Ｕ／Ｉ）部６５０（具体的には図示せず）と、インターフェース部（モジュールスロット６８０以外は図示せず）と、これら構成部位を収容する筐体（図１中、概念的にのみ図示している）とを有している。
【００２４】
記憶部６２０は、オペレーティングシステムおよびアプリケーションソフトウエアならびに各種処理データを記憶する。
【００２５】
制御部６１０は、記憶部６２０に記憶されているオペレーティングシステムおよびアプリケーションソフトウエアにしたがって各種演算処理を行う演算素子を含む。
【００２６】
電源部６３０は、電源回路６３１および充電式のバッテリ６３２から成る。
【００２７】
無線通信部６４０は、携帯電話回線を利用した通話およびデータ通信、無線ＬＡＮ（Local Area Network）通信、さらに、ブルートゥース（商標または登録商標）通信等を実行可能である。
【００２８】
ユーザーインターフェース（Ｕ／Ｉ）部６５０は、タッチパネルディスプレイ、操作ボタン、マイクロフォン、スピーカ、およびカメラ等を有している。
【００２９】
インターフェース部は、加入者認証モジュール２００が取り外し可能に装着されるモジュールスロット６８０、マイクロＳＤ（Security Digital）カード（商標または登録商標）が取り外し可能に装着されるマイクロＳＤカードスロット、ＵＳＢ（Universal Serial Bus）端子、ならびにヘッドフォン端子等である。
【００３０】
さて、本発明による加入者認証モジュールの不正使用防止装置１００は特に、モジュール取り外し予検出部１６０と、ＰＩＮ（Personal Identification Number）設定部（モジュールパスワード設定部）１１０と、モジュールパスワードを記憶したＰＩＮ記憶部（モジュールパスワード記憶部）１２０とを有している。
【００３１】
モジュール取り外し予検出部１６０は、通信端末６００のモジュールスロット６８０に取り外し可能に装着された加入者認証モジュール２００が通信端末６００から取り外し可能な状態にあることを検出する。
【００３２】
より具体的には、モジュール取り外し予検出部１６０は、カバー１６１と、開閉センサ１６２とを有している。
【００３３】
カバー１６１は、通信端末６００のモジュールスロット６８０の開口部である加入者認証モジュール２００の出し入れ口に、図１中左右方向にスライド可能に構成されており、これにより、加入者認証モジュール２００の出し入れ口の少なくとも一部を開放可能に閉鎖する。
【００３４】
開閉センサ１６２は、図１のごとくカバー１６１が開放されたときに加入者認証モジュール２００が取り外し可能な状態にある旨の検出信号を、発生する。尚、本例において開閉センサ１６２は、プッシュスイッチによって構成されているが、カバー１６１が開放されたことを検出できるのであれば、磁気式、光学式等の他の形式のセンサであってもよい。
【００３５】
ＰＩＮ設定部１１０は、モジュールパスワード（ＰＩＮ）を記憶したＰＩＮ記憶部（モジュールパスワード記憶部）１２０を有している。そして、カバー１６１が開かれた旨のモジュール取り外し予検出部１６０の検出信号に基づいて、ＰＩＮ記憶部１２０に記憶されているモジュールパスワードを加入者認証モジュール２００に設定する。
【００３６】
加入者認証モジュールの不正使用防止装置１００はさらに、電源部１３０を有している。
【００３７】
電源部１３０は、電源回路１３１と、充電可能なバッテリ１３２とを有している。電源部１３０は、通信端末６００本体用の電源部６３０とは個別に、かつ、通信端末６００の筐体内に封入して設けられている。バッテリ１３２は、通信端末６００の電源部６３０を介して充電されるように構成されている。尚、充電可能であるならば、バッテリに代えてキャパシタを用いてもよい。また、バッテリ１３２を通信端末６００の筐体内に封入して設けている理由は、加入者認証モジュールの不正使用防止装置１００が動作する前に、悪意の第三者によって電源供給を断たれてしまうことを回避するためである。
【００３８】
次に、図１〜図３を参照して、本加入者認証モジュールの不正使用防止装置１００の動作を説明する。
【００３９】
ここで、通信端末６００のモジュールスロット６８０に加入者認証モジュール２００が装着され、さらに、図２（ａ）に示されるように、カバー１６１が閉じられ、通信端末６００の正規のユーザが通信端末６００を正常に使用しているとする。また、電源部１３０の充電可能なバッテリ１３２は、通信端末６００の電源部６３０を介して充電されている。
【００４０】
さて、ステップＳ１０において、通信端末６００の電源部６３０から電源供給されている制御部６１０は、モジュールスロット６８０に加入者認証モジュール２００が装着されているか否かを、常に監視する。尚、制御部６１０による監視の結果は、加入者認証モジュールの不正使用防止装置１００のＰＩＮ設定部１１０と共有している。ただし、加入者認証モジュール２００の装着の当否を、制御部６１０による監視に拠らずに、ＰＩＮ設定部１１０自体によって監視するように構成してもよい。
【００４１】
ステップＳ２０において、加入者認証モジュールの不正使用防止装置１００の電源部１３０から電源供給されているＰＩＮ設定部１１０は、カバー１６１の開／閉状態を、常に監視する。
【００４２】
ここで、例えば正規のユーザが通信端末６００を紛失し、この通信端末６００を拾った悪意の第三者が通信端末６００の筐体を開けて加入者認証モジュール２００をモジュールスロット６８０から取り出そうとしているとする。この第三者は、加入者認証モジュール２００を取り出すために、図２（ａ）に示されるように閉じられているカバー１６１をスライドし、図２（ｂ）に示されるようにカバー１６１を開放する。その結果、ステップＳ２０において、ＰＩＮ設定部１１０は、開閉センサ１６２を用いてカバー１６１が開かれたことを検出し、即時にステップＳ３０に移行する。
【００４３】
ステップＳ３０において、ＰＩＮ設定部１１０は、ＰＩＮ記憶部１２０に予め記憶されているモジュールパスワード（ＰＩＮ）を読み出し、ステップＳ４０に移行する。
【００４４】
次いで、ステップＳ４０において、ＰＩＮ設定部１１０は、加入者認証モジュール２００に対してＰＩＮ設定（モジュールパスワードを設定）を行う。即ち、加入者認証モジュール２００に記憶されている加入者識別符号（ＩＭＳＩ）を含む秘匿にすべき情報を、正しいモジュールパスワードを入力しない限りは読み出しができないようにモジュールパスワードと関連付けて加入者認証モジュール２００に記憶させる。
【００４５】
以上の加入者認証モジュールの不正使用防止装置１００の動作により、悪意の第三者によってモジュールスロット６８０から取り出された加入者認証モジュール２００は、ＰＩＮ設定が既になされたものである。その結果、この第三者が、取り出した加入者認証モジュール２００を別の通信端末に装着してなりすましの通信を行おうとしても、正しいモジュールパスワードを入力しない限りは加入者識別符号（ＩＭＳＩ）が出力されず、通信を行うことはできない。
【００４６】
［実施形態２］
本発明の実施形態２の加入者認証モジュールの不正使用防止装置は、モジュールパスワード記憶部およびモジュールパスワード設定部がそれぞれ、通信端末の記憶部および制御部と兼用に構成されている点で、実施形態１と異なっている。このため、実施形態１と同一または同様の部分については、実施形態１における説明および図面を援用することとし、詳細な説明は省略する。
【００４７】
図４を参照すると、本発明の実施形態２による加入者認証モジュールの不正使用防止装置１００’は、実施形態１の不正使用防止装置１００と同様に、スマートフォンである通信端末６００’に適用され、加入者識別符号（ＩＭＳＩ）を含む情報が記憶されたＳＩＭ（Subscriber Identity Module）である加入者認証モジュール２００が通信端末６００’から取り外された後に、悪意を持った第三者によって別の通信端末に装着されて不正ななりすまし通信が実行されることを防止する装置である。
【００４８】
通信端末６００’は、記憶部６２０’と、制御部６１０’と、電源部６３０と、無線通信部６４０と、ユーザーインターフェース（Ｕ／Ｉ）部６５０（具体的には図示せず）と、インターフェース部（モジュールスロット６８０以外は図示せず）と、これら構成部位を収容する筐体（図４中、概念的にのみ図示している）とを有している。
【００４９】
通信端末６００’は、記憶部６２０’と、制御部６１０’と、電源部６３０と、無線通信部６４０と、ユーザーインターフェース（Ｕ／Ｉ）部６５０（具体的には図示せず）と、インターフェース部（モジュールスロット６８０以外は図示せず）と、これら構成部位を収容する筐体（図１中、概念的にのみ図示している）とを有している。
【００５０】
記憶部６２０’は、オペレーティングシステムおよびアプリケーションソフトウエアならびに各種処理データを記憶する。制御部６１０’は、記憶部６２０’に記憶されているオペレーティングシステムおよびアプリケーションソフトウエアにしたがって各種演算処理を行う演算素子を含む。電源部６３０は、電源回路６３１および充電式のバッテリ６３２から成る。無線通信部６４０は、携帯電話回線を利用した通話およびデータ通信、無線ＬＡＮ（Local Area Network）通信、さらに、ブルートゥース（商標または登録商標）通信等を実行可能である。ユーザーインターフェース（Ｕ／Ｉ）部６５０は、タッチパネルディスプレイ、操作ボタン、マイクロフォン、スピーカ、およびカメラ等を有している。インターフェース部は、加入者認証モジュール２００が取り外し可能に装着されるモジュールスロット６８０、マイクロＳＤ（Security Digital）カード（商標または登録商標）が取り外し可能に装着されるマイクロＳＤカードスロット、ＵＳＢ（Universal Serial Bus）端子、ならびにヘッドフォン端子等である。
【００５１】
さて、本加入者認証モジュールの不正使用防止装置１００’は、モジュール取り外し予検出部１６０と、ＰＩＮ（Personal Identification Number）設定部（モジュールパスワード設定部）１１０’と、モジュールパスワードを記憶したＰＩＮ記憶部（モジュールパスワード記憶部）１２０’とを有している。
【００５２】
モジュール取り外し予検出部１６０は、通信端末６００’のモジュールスロット６８０に取り外し可能に装着された加入者認証モジュール２００が通信端末６００’から取り外し可能な状態にあることを検出する。より具体的には、モジュール取り外し予検出部１６０は、カバー１６１と、開閉センサ１６２とを有している。カバー１６１は、通信端末６００’のモジュールスロット６８０の開口部である加入者認証モジュール２００の出し入れ口に、図４中左右方向にスライド可能に構成されており、これにより、加入者認証モジュール２００の出し入れ口の少なくとも一部を開放可能に閉鎖する。開閉センサ１６２は、図４のごとくカバー１６１が開放されたときに加入者認証モジュール２００が取り外し可能な状態にある旨の検出信号を発生する。
【００５３】
ＰＩＮ設定部１１０’は、カバー１６１が開かれた旨のモジュール取り外し予検出部１６０の検出信号に基づいて、ＰＩＮ記憶部１２０’に記憶されているモジュールパスワードを加入者認証モジュール２００に設定する。
【００５４】
加入者認証モジュールの不正使用防止装置１００’はさらに、電源部１３０を有している。電源部１３０は、電源回路１３１と、充電可能なバッテリ１３２とを有している。電源部１３０は、通信端末６００’本体用の電源部６３０とは個別に、かつ、通信端末６００’の筐体内に封入して設けられている。バッテリ１３２は、通信端末６００’の電源部６３０を介して充電されるように構成されている。尚、バッテリ１３２を通信端末６００’の筐体内に封入して設けている理由は、加入者認証モジュールの不正使用防止装置１００が動作する前に、悪意の第三者によって電源供給を断たれてしまうことを回避するためである。
【００５５】
特に、本実施形態においては、ＰＩＮ記憶部１２０’およびＰＩＮ設定部１１０’がそれぞれ、通信端末６００’の記憶部６２０’および制御部６１０’と兼用に構成されている。ただし、電源部に関しては、通信端末６００’本体と、加入者認証モジュールの不正使用防止装置１００’とで個別に設ける。即ち、通信端末６００’本体には電源部６３０を設ける一方、加入者認証モジュールの不正使用防止装置１００’には通信端末６００’の筐体内に封入した状態で電源部１３０を設けている。
【００５６】
実施形態２による加入者認証モジュールの不正使用防止装置１００’も、実施形態１による加入者認証モジュールの不正使用防止装置１００と同様に動作する。
【００５７】
上記の実施形態の一部または全部は、以下の付記のようにも記載され得るが、以下には限られない。
【００５８】
（付記１）
通信端末に取り外し可能に装着されると共に加入者識別情報を有する加入者認証モジュールが、前記通信端末から取り外し可能な状態にあることを検出する検出部と、
前記検出部の検出信号に基づいて、前記加入者識別情報を読み出すためのパスワードを前記加入者認証モジュールに設定するパスワード設定部と、
を有することを特徴とする加入者認証モジュールの不正使用防止装置。
【００５９】
（付記２）
前記パスワード設定部が前記加入者認証モジュールに前記パスワードを設定することにより、前記通信端末から取り外された前記加入者認証モジュールの不正使用を防止することを特徴とする付記１の加入者認証モジュールの不正使用防止装置。
【００６０】
（付記３）
前記検出部は、
前記通信端末に設けられた前記加入者認証モジュールの出し入れ口の少なくとも一部を開放可能に閉鎖するカバーと、
前記カバーが開放されたときに前記加入者認証モジュールが取り外し可能な状態にある旨の検出信号を発生するセンサとを有することを特徴とする付記１または２の加入者認証モジュールの不正使用防止装置。
【００６１】
（付記４）
前記パスワードを記憶したパスワード記憶部をさらに有し、
前記パスワード設定部は、前記検出部の検出信号に基づいて、前記パスワード記憶部に記憶されている前記パスワードを前記加入者認証モジュールに設定することを特徴とする付記１乃至３のいずれかの加入者認証モジュールの不正使用防止装置。
【００６２】
（付記５）
前記検出部及び前記パスワード設定部を駆動するための電源部をさらに有することを特徴とする付記１乃至４のいずれか一項の加入者認証モジュールの不正使用防止装置。
【００６３】
（付記６）
前記電源部は、前記通信端末の電源部とは独立して設けられていることを特徴とする付記５の加入者認証モジュールの不正使用防止装置。
【００６４】
（付記７）
前記通信端末は、少なくとも記憶部と制御部とを有し、
前記通信端末の記憶部は、前記パスワード記憶部として機能し、
前記通信端末の制御部は、前記パスワード設定部として機能することを特徴とする付記４乃至６のいずれかの加入者認証モジュールの不正使用防止装置。
【００６５】
（付記８）
前記電源部は、バッテリまたはキャパシタをさらに有し、かつ、前記通信端末の筐体内に取り出し不可能に封入して設けられていることを特徴とする付記５乃至７のいずれかの加入者認証モジュールの不正使用防止装置。
【００６６】
（付記９）
前記バッテリまたは前記キャパシタは、前記通信端末の電源部を介して充電されるように構成されていることを特徴とする付記５乃至８のいずれかの加入者認証モジュールの不正使用防止装置。
【００６７】
（付記１０）
付記１乃至９のいずれかの不正使用防止装置を有することを特徴とする通信端末。
【００６８】
（付記１１）
通信端末に取り外し可能に装着されると共に加入者識別情報を有する加入者認証モジュールが、前記通信端末から取り外し可能な状態にあることを検出する工程と、
前記取り外し可能状態検出工程にて前記加入者認証モジュールが取り外し可能な状態にあると検出した場合に、前記加入者識別情報を読み出すためのパスワードを前記加入者認証モジュールに設定する工程と、
を有することを特徴とする加入者認証モジュールの不正使用防止方法。
【００６９】
（付記１２）
前記パスワード設定工程にて前記加入者認証モジュールに前記パスワードを設定することにより、前記通信端末から取り外された前記加入者認証モジュールの不正使用を防止することを特徴とする付記１１の加入者認証モジュールの不正使用防止方法。
【００７０】
（付記１３）
前記通信端末に設けられた前記加入者認証モジュールの出し入れ口の少なくとも一部を開放可能に閉鎖するカバーを予め設ける工程をさらに有し、
前記取り外し可能状態検出工程にて、前記カバーが開放されたときに前記加入者認証モジュールが取り外し可能な状態にある旨を検出することを特徴とする付記１１または１２の加入者認証モジュールの不正使用防止方法。
【００７１】
（付記１４）
前記パスワードをメモリに予め記憶しておく工程と、
前記取り外し可能状態検出工程にて前記加入者認証モジュールが取り外し可能な状態にあると検出した場合に、前記パスワード記憶工程にてメモリに記憶されている前記パスワードを読み出す工程とをさらに有し、
前記パスワード設定工程にて、前記パスワード読み出し工程にて読み出した前記パスワードを前記加入者認証モジュールに設定することを特徴とする付記１１乃至１３のいずれかの加入者認証モジュールの不正使用防止方法。
【００７２】
（付記１５）
通信端末に設けられ、記憶手段と、演算手段とを備えたコンピュータに、
前記通信端末に取り外し可能に装着されると共に加入者識別情報を有する加入者認証モジュールが、前記通信端末から取り外し可能な状態にあることを検出する工程と、
前記取り外し可能状態検出工程にて前記加入者認証モジュールが取り外し可能な状態にあると検出した場合に、前記加入者識別情報を読み出すためのパスワードを前記加入者認証モジュールに設定する工程と、
を実行させることを特徴とする加入者認証モジュールの不正使用防止プログラム。
【００７３】
（付記１６）
前記パスワード設定工程にて前記加入者認証モジュールに前記パスワードを設定することにより、前記通信端末から取り外された前記加入者認証モジュールの不正使用を防止することを特徴とする付記１５の加入者認証モジュールの不正使用防止プログラム。
【００７４】
（付記１７）
前記通信端末には、前記加入者認証モジュールの出し入れ口と、該出し入れ口の少なくとも一部を開放可能に閉鎖するカバーとが予め設けられており、
前記取り外し可能状態検出工程にて、前記カバーが開放されたときに前記加入者認証モジュールが取り外し可能な状態にある旨を検出することを特徴とする付記１５または１６の加入者認証モジュールの不正使用防止プログラム。
【００７５】
（付記１８）
前記パスワードをメモリに予め記憶しておく工程と、
前記取り外し可能状態検出工程にて前記加入者認証モジュールが取り外し可能な状態にあると検出した場合に、前記パスワード記憶工程にてメモリに記憶されている前記パスワードを読み出す工程とをさらに有し、
前記パスワード設定工程にて、前記パスワード読み出し工程にて読み出した前記パスワードを前記加入者認証モジュールに設定することを特徴とする付記１５乃至１７のいずれかの加入者認証モジュールの不正使用防止プログラム。
【産業上の利用可能性】
【００７６】
本発明は、以上説明した実施形態に限定されることなく、特許請求の範囲に記載された技術範囲内であれば、種々の変形が可能であることは云うまでもない。
【００７７】
例えば、本発明が適用される通信端末としては、スマートフォンに限定されず、携帯電話機、ＰＤＡ（Personal Digital Assistance）、各種無線通信機、または、それぞれ通信機能を持つ携帯ゲーム機、携帯型音声／映像再生機、携帯型ナビゲーション装置、デジタルカメラ、あるいは、ＰＯＳ（Point Of Sales）システムにおけるハンディータミナル、オーダーエントリー端末、またはラベラー等、通信機能を持ち、かつ、加入者認証モジュールが装着されるように構成された電子機器全般に適用可能である。
【符号の説明】
【００７８】
１００、１００’  加入者認証モジュールの不正使用防止装置
１１０、１１０’  ＰＩＮ設定部（モジュールパスワード設定部）
１２０、１２０’  ＰＩＮ記憶部（モジュールパスワード記憶部）
１３０    電源部
１３１    電源回路
１３２    バッテリ
１６０    モジュール取り外し予検出部
１６１    カバー
１６２    開閉センサ
２００    加入者認証モジュール
６００、６００’  通信端末
６１０、６１０’  制御部
６２０、６２０’  記憶部
６３０    電源部
６３１    電源回路
６３２    バッテリ
６４０    無線通信部
６５０    ユーザーインターフェース部
６８０    モジュールスロット
【図１】
0005920946.tif 000002
【図２】
0005920946.tif 000003
【図３】
0005920946.tif 000004
【図４】
0005920946.tif 000005